(57)【要約】【課題】リレーの挿入および離脱を簡易かつ確実に行うことができ、更に、挿入時および離脱時に於けるリレーの破損を防止することができるリレーソケットおよびそれを備えたリレーボックスを提供する。【解決手段】本発明のリレーソケット１０は、相対向する側壁を有するガイドケース１１と、第１端子孔１３が形成された箱状の端子接続部１２と、第１端子孔１３に対応する形状の第２端子孔１５と、端子接続部１２を収容可能な内部空間とガイドケース１１の側壁に面する側面とを有するリレーケース１４と、第１方向に沿って端子接続部１２をガイドケース１１の奥側に案内する第１案内構造１７と、第１方向とは異なる第２方向に沿って、リレーケース１４をガイドケース１１の奥側に案内する第２案内構造１８と、を具備する。【選択図】図２
2019175683.tif 000002
【特許請求の範囲】
【請求項１】
リレーが着脱自在に装着されるリレーソケットであり、
相対向する側壁を有するガイドケースと、
第１端子孔が形成された箱状の端子接続部と、
前記第１端子孔に対応する形状の第２端子孔と、前記端子接続部を収容可能な内部空間と、前記ガイドケースの前記側壁に面する側面と、を有するリレーケースと、
第１方向に沿って前記端子接続部を前記ガイドケースの奥側に案内する第１案内構造と、
前記第１方向とは異なる第２方向に沿って、前記リレーケースを前記ガイドケースの奥側に案内する第２案内構造と、を具備することを特徴とするリレーソケット。
【請求項２】
前記第１案内構造は、前記ガイドケースおよび前記端子接続部の何れか一方に形成された第１案内溝と、前記ガイドケースおよび前記端子接続部の何れか他方に形成された第１案内リブと、を有し、
前記第２案内構造は、前記ガイドケースおよび前記リレーケースの何れか一方に形成された第２案内溝と、前記ガイドケースおよび前記リレーケースの何れか他方に形成された第２案内リブと、を有することを特徴とする請求項１に記載のリレーソケット。
【請求項３】
前記ガイドケースに前記端子接続部および前記リレーケースが収容された状態で、前記端子接続部の前記第１端子孔と、前記リレーケースの前記第２端子孔との位置は略一致していることを特徴とする請求項１または請求項２に記載のリレーソケット。
【請求項４】
前記ガイドケースは、前記端子接続部および前記リレーケースが組み込まれる開口部を有し、
前記開口部は、板状の蓋部材で塞がれることを特徴とする請求項１から請求項３の何れかに記載のリレーソケット。
【請求項５】
前記第１案内構造は、前記ガイドケースの下辺に対して平行であり、
前記第２案内構造は、前記ガイドケースの下辺に対して傾斜することを特徴とする請求項１から請求項４の何れかに記載のリレーソケット。
【請求項６】
前記リレーが取り付けられた状態で、前記ガイドケースに前記リレーケースを係合する係合構造を有することを特徴とする請求項１から請求項５の何れかに記載のリレーソケット。
【請求項７】
前記係合構造は、前記ガイドケースの前記側壁を部分的に突起させた案内ピンと、前記リレーケースの側面に形成した案内溝を部分的に曲折させた曲折部であることを特徴とする請求項６に記載のリレーソケット。
【請求項８】
前記係合構造は、前記リレーケースを部分的に突起させた係合爪と、前記ガイドケースに形成した係合受部と、を有することを特徴とする請求項６に記載のリレーソケット。
【請求項９】
前記係合受部は、可撓可能な前記ガイドケースの一部から成る可撓部に形成されることを特徴とする請求項８に記載のリレーソケット。
【請求項１０】
前記係合構造は、前記ガイドケースの案内溝または案内リブに形成した前記リレーケースに係合する係合凸部であることを特徴とする請求項６に記載のリレーソケット。
【請求項１１】
請求項１から請求項１０の何れかに記載の前記リレーソケットを、複数具備することを特徴とするリレーボックス。
【発明の詳細な説明】
【技術分野】
【０００１】
本発明は、リレーソケットおよびそれを備えたリレーボックスに関し、例えば、車両の電子制御系統に介装されるリレーソケットおよびそれを備えたリレーボックスに関する。
【背景技術】
【０００２】
車両などの移動体では、各種電装品などを制御する電子制御系統を備えており、その制御系統にはリレーが介装されている。リレーが接続状態となることで、制御対象となる電装品に電流が供給され、リレーが非接続状態となることで、電装品に電流が供給されない。
【０００３】
一般に、リレーと挿入部（例えば基盤）との間にはリレーソケットが配設される。リレーソケットを介装することで、作業者は、リレーの挿入部への挿入作業および離脱作業を容易且つ確実にすることができる。更には、リレーケースによりリレーが挿入部に固定され、走行振動等に起因してリレーが離脱してしまうことを防止することができる。
【０００４】
特許文献１および特許文献２に、リレーソケットに関する発明が記載されている。
【０００５】
特許文献１では、コンタクトを保持したソケットボディと、リレー本体をソケットボディに導くリレーホルダとから、リレーソケットが構成されている。リレーホルダは、連結部を備えており、その連結部は、リレーホルダの回転を禁止する第１の位置と、リレーホルダの回転を許容してその離脱を可能とする第２の位置と、を有している。このようにすることで、リレーの離脱を防止することができ、リレーの離脱作業を簡易にすることができ、更には、リレーホルダを小型化することができる。
【０００６】
特許文献２では、リレーソケットにリリースレバーが備えられている。リリースレバーに形成された支持部によってリレーの移動が規制されることで、リレーがリレー装着部にて回転や離脱することがなく、リレー端子の変形や破損が防止されている。
【先行技術文献】
【特許文献】
【０００７】
【特許文献１】特許第４４２８３０６号公報
【特許文献２】特許第４２８８１３１号公報
【発明の概要】
【発明が解決しようとする課題】
【０００８】
しかしながら、上記した特許文献１および特許文献２に記載されたリレーソケットでは、リレーが充分に挿入されたか否かを確認するためには、挿入後のリレーを側方から見て、リレーの高さを確認する必要があった。従って、リレーの接続状況確認が煩雑である課題があった。また、リレーはその種類によって高さが異なるため、高さが異なる複数のリレーの挿入の度合いを、側方から目視することで確認することは容易ではなかった。
【０００９】
更に、リレーを離脱する際に、ドライバ等の工具で大きな引抜力をリレーに加えると、リレーが破損してしまう恐れもあった。
【００１０】
本発明は、上記の事情に鑑みてなされたものであり、リレーの挿入および離脱を簡易かつ確実に行うことができ、更に、挿入時および離脱時に於けるリレーの破損を防止することができるリレーソケットおよびそれを備えたリレーボックスを提供することにある。
【課題を解決するための手段】
【００１１】
本発明はリレーが着脱自在に装着されるリレーソケットであり、相対向する側壁を有するガイドケースと、第１端子孔が形成された箱状の端子接続部と、前記第１端子孔に対応する形状の第２端子孔と、前記端子接続部を収容可能な内部空間と、前記ガイドケースの前記側壁に面する側面と、を有するリレーケースと、第１方向に沿って前記端子接続部を前記ガイドケースの奥側に案内する第１案内構造と、前記第１方向とは異なる第２方向に沿って、前記リレーケースを前記ガイドケースの奥側に案内する第２案内構造と、を具備することを特徴とする。
【００１２】
更に、本発明のリレーソケットでは、前記第１案内構造は、前記ガイドケースおよび前記端子接続部の何れか一方に形成された第１案内溝と、前記ガイドケースおよび前記端子接続部の何れか他方に形成された第１案内リブと、を有し、前記第２案内構造は、前記ガイドケースおよび前記リレーケースの何れか一方に形成された第２案内溝と、前記ガイドケースおよび前記リレーケースの何れか他方に形成された第２案内リブと、を有することを特徴とする。
【００１３】
更に、本発明のリレーソケットでは、前記ガイドケースに前記端子接続部および前記リレーケースが収容された状態で、前記端子接続部の前記第１端子孔と、前記リレーケースの前記第２端子孔との位置は略一致していることを特徴とする。
【００１４】
更に、本発明のリレーソケットでは、前記ガイドケースは、前記端子接続部および前記リレーケースが組み込まれる開口部を有し、前記開口部は、板状の蓋部材で塞がれることを特徴とする。
【００１５】
更に、本発明のリレーソケットでは、前記第１案内構造は、前記ガイドケースの下辺に対して平行であり、前記第２案内構造は、前記ガイドケースの下辺に対して傾斜することを特徴とする。
【００１６】
更に、本発明のリレーソケットでは、前記リレーが取り付けられた状態で、前記ガイドケースに前記リレーケースを係合する係合構造を有することを特徴とする。
【００１７】
更に、本発明のリレーソケットでは、前記係合構造は、前記ガイドケースの前記側壁を部分的に突起させた案内ピンと、前記リレーケースの側面に形成した案内溝を部分的に曲折させた曲折部であることを特徴とする。
【００１８】
更に、本発明のリレーソケットでは、前記係合構造は、前記リレーケースを部分的に突起させた係合爪と、前記ガイドケースに形成した係合受部と、を有することを特徴とする。
【００１９】
更に、本発明のリレーソケットでは、前記係合受部は、可撓可能な前記ガイドケースの一部から成る可撓部に形成されることを特徴とする。
【００２０】
更に、本発明のリレーソケットでは、前記係合構造は、前記ガイドケースの案内溝または案内リブに形成した前記リレーケースに係合する係合凸部であることを特徴とする。
【００２１】
更に、本発明のリレーボックスは、上記のリレーソケットを、複数具備することを特徴とする。
【発明の効果】
【００２２】
本発明はリレーが着脱自在に装着されるリレーソケットであり、相対向する側壁を有するガイドケースと、第１端子孔が形成された箱状の端子接続部と、前記第１端子孔に対応する形状の第２端子孔と、前記端子接続部を収容可能な内部空間と、前記ガイドケースの前記側壁に面する側面と、を有するリレーケースと、第１方向に沿って前記端子接続部を前記ガイドケースの奥側に案内する第１案内構造と、前記第１方向とは異なる第２方向に沿って、前記リレーケースを前記ガイドケースの奥側に案内する第２案内構造と、を具備することを特徴とする。従って、端子接続部を第１案内構造に沿ってガイドケースに挿入し、リレーケースを第２案内構造に沿ってガイドケースに挿入することで、端子接続部およびリレーケースをガイドケースに容易に組み込むことができる。また、端子接続部およびリレーケースの平面的な位置を確認することで、リレーの挿入判定を容易に行うことができる。更に、リレーの挿入時および引き抜き時に於ける端子の折れ曲がりを防止することができる。
【００２３】
更に、本発明のリレーソケットでは、前記第１案内構造は、前記ガイドケースおよび前記端子接続部の何れか一方に形成された第１案内溝と、前記ガイドケースおよび前記端子接続部の何れか他方に形成された第１案内リブと、を有し、前記第２案内構造は、前記ガイドケースおよび前記リレーケースの何れか一方に形成された第２案内溝と、前記ガイドケースおよび前記リレーケースの何れか他方に形成された第２案内リブと、を有することを特徴とする。従って、第１案内溝および第１案内リブから成る簡素な構造で端子接続部を案内することができ、更に、第２案内溝および第２案内リブから成る簡素な構造でリレーケースを案内することができる。
【００２４】
更に、本発明のリレーソケットでは、前記ガイドケースに前記端子接続部および前記リレーケースが収容された状態で、前記端子接続部の前記第１端子孔と、前記リレーケースの前記第２端子孔との位置は略一致していることを特徴とする。従って、第１端子孔および第２端子孔を経由してリレーを正確に挿入接続することができる。
【００２５】
更に、本発明のリレーソケットでは、前記ガイドケースは、前記端子接続部および前記リレーケースが組み込まれる開口部を有し、前記開口部は、板状の蓋部材で塞がれることを特徴とする。従って、蓋部材で容易にガイドケースを閉鎖することができる。
【００２６】
更に、本発明のリレーソケットでは、前記第１案内構造は、前記ガイドケースの下辺に対して平行であり、前記第２案内構造は、前記ガイドケースの下辺に対して傾斜することを特徴とする。従って、端子接続部およびリレーケースをガイドケースに組み込む際に、端子接続部をリレーケースに収納させつつ、両者をガイドケースの奥側に移動させることができる。
【００２７】
更に、本発明のリレーソケットでは、前記リレーが取り付けられた状態で、前記ガイドケースに前記リレーケースを係合する係合構造を有することを特徴とする。従って、使用状況下にてリレーケースがガイドケースから不用意に外れてしまうことを防止することができる。
【００２８】
更に、本発明のリレーソケットでは、前記係合構造は、前記ガイドケースの前記側壁を部分的に突起させた案内ピンと、前記リレーケースの側面に形成した案内溝を部分的に曲折させた曲折部であることを特徴とする。従って、第２案内構造の端部に形成した曲折部で、リレーソケットの離脱を防止することができる。
【００２９】
更に、本発明のリレーソケットでは、前記係合構造は、前記リレーケースを部分的に突起させた係合爪と、前記ガイドケースに形成した係合受部と、を有することを特徴とする。従って、リレーケースの係合爪をガイドケースの係合受部に係合させることで、リレーソケットの離脱を防止することができる。
【００３０】
更に、本発明のリレーソケットでは、前記係合受部は、可撓可能な前記ガイドケースの一部から成る可撓部に形成されることを特徴とする。従って、係合受部が可撓部に形成されることで、可撓部の弾性で係合を強化でき、更に取り外し作業を簡素化することができる。
【００３１】
更に、本発明のリレーソケットでは、前記係合構造は、前記ガイドケースの案内溝または案内リブに形成した前記リレーケースに係合する係合凸部であることを特徴とする。従って、係合凸部でリレーケースの不用意な移動を規制することができる。
【００３２】
更に、本発明のリレーボックスは、上記のリレーソケットを、複数具備することを特徴とする。従って、複数のリレーの装着および離脱を容易に行うことができ、リレーの装着状況を容易に目視確認することができる。
【図面の簡単な説明】
【００３３】
【図１】本発明の実施形態に係るリレーソケットを示す図であり、（Ａ）はリレーソケットを示す斜視図であり、（Ｂ）はリレーソケットに挿入されるリレーを示す斜視図である。
【図２】本発明の実施形態に係るリレーソケットを示す分解斜視図である。
【図３】本発明の実施形態に係るリレーソケットを示す図であり、リレーソケットにリレーが挿入されている状態を示す斜視図である。
【図４】本発明の実施形態に係るリレーソケットの係合構造を示す図であり、（Ａ）はガイドケースおよびリレーケースを示す側面図であり、（Ｂ）はガイドケースにリレーケースを組み込んだ状態を示す側面図である。
【図５】本発明の実施形態に係るリレーソケットの他の係合構造を示す図であり、（Ａ）はガイドケースおよびリレーケースを示す側面図であり、（Ｂ）はガイドケースにリレーケースを組み込んだ状態を示す側面図であり、（Ｃ）は係合構造を拡大して示す側面図である。
【図６】本発明の実施形態に係るリレーソケットの他の係合構造を示す側面図である。
【図７】本発明の実施形態に係るリレーソケットの他の係合構造を示す図であり、（Ａ）はガイドケースを示す側面図であり、（Ｂ）はガイドケースにリレーケースを組み込んだ状態を示す上面図である。
【図８】本発明の実施形態に係るリレーソケットの他の係合構造を示す図であり、（Ａ）はガイドケースを示す側面図であり、（Ｂ）はガイドケースにリレーケースを組み込んだ状態を示す上面図である。
【図９】本発明の実施形態に係るリレーボックスを示す斜視図である。
【発明を実施するための形態】
【００３４】
以下、図を参照して本実施形態に係るリレーソケット１０およびリレーボックス４０を説明する。以下の説明では、同一の部材には原則的に同一の符号を付し、繰り返しの説明は省略する。
【００３５】
図１を参照して、リレーソケット１０の構成等を説明する。図１（Ａ）はリレーソケット１０を示す斜視図であり、図１（Ｂ）はリレー２８を示す斜視図である。
【００３６】
図１（Ａ）を参照して、リレーソケット１０は、主に、ガイドケース１１と、端子接続部１２と、リレーケース１４とから構成されている。ここでは、ガイドケース１１に、リレーケース１４および端子接続部１２を組み込んだ状態を示している。この組み込み状態では、端子接続部１２はリレーケース１４に内蔵されているので、図面には現れない。
【００３７】
リレーソケット１０は、後述するリレー２８と、ここでは図示しない車両の制御基板との間に介装され、リレー２８の挿入および離脱を着脱自在にガイドし、更には、リレー２８の不用意な離脱を防止する部材である。
【００３８】
後述するように、ガイドケース１１にリレーケース１４等を組み付ける際には、リレーケース１４はガイドケース１１に対して傾斜する方向に沿って後方から挿入される。また、端子接続部１２はリレーケース１４に内蔵されている。端子接続部１２およびリレーケース１４の上面には、重畳する開口部が形成されており、この開口部に下記するリレー２８の端子２９が挿入される。
【００３９】
ガイドケース１１は、左右方向で対向する側壁２３を有しており、側壁２３の内面に、リレーケース１４をスライド移動させるための第２案内溝２１が形成されている。また、リレーケース１４の後方端部の開口は蓋部材２７で塞がれている。
【００４０】
図１（Ｂ）を参照して、リレー２８は、複数の端子２９を有している。端子２９の位置および形状は、後述する、リレーケース１４の第２端子孔１５、および、端子接続部１２の第１端子孔１３に対応している。リレー２８の端子２９は、第２端子孔１５および第１端子孔１３を貫通して、制御基板側の端子部と接続される。
【００４１】
図２に、リレーソケット１０を構成する各部材を分解して示す。これらの各部材は、例えば射出成型された合成樹脂から成る。
【００４２】
ガイドケース１１は、リレーソケット１０の最外部を構成する部材であり、上方から見たら、後部に開口を有する「コ」の字形状を呈している。また、ガイドケース１１の対向する側壁２３には、後述する案内構造を構成する溝やリブが形成されている。具体的には、側壁２３の内面には、第２案内溝２１、第１案内リブ２０、第３案内溝３０が形成されている。
【００４３】
更に、側壁２３の上側前部には傾斜面３６が形成されている。傾斜面３６は、前方に向かって下方に傾斜する。係る傾斜面３６を形成することで、ガイドケース１１の前方の前壁３７の上面を、側壁２３の後方部分の上面よりも低くすることができる。前壁３７の上面の高さは、組み付けられたリレーケース１４の上面の高さと同程度とされる。このようにすることで、リレー２８を離脱させる際に、前壁３７の上方からドライバ等の工具を挿入して、リレー２８を取り外すことができる。
【００４４】
リレーケース１４は、下方に開口を有する略直方体形状を呈している。リレーケース１４の内部には内部空間１６が形成されており、内部空間１６は後述する端子接続部１２を収容可能な大きさとされている。リレーケース１４の上面には、第２端子孔１５が形成されている。第２端子孔１５の位置および形状は、上記したリレー２８の端子２９に対応している。
【００４５】
端子接続部１２は、略直方体形状を呈する部材であり、リレーソケット１０を組み立てた際には、上記したように、リレーケース１４に収納される。端子接続部１２の上面には、リレー２８の端子２９に対応した形状および位置で第１端子孔１３が形成されている。第１端子孔１３は、端子接続部１２の上面から下面に至るまで形成されており、このようにすることで、リレー２８の端子２９の折れ曲がりを防止することができる。
【００４６】
リレーソケット１０には、端子接続部１２の移動を案内する第１案内構造１７が形成されている。第１案内構造１７は、ガイドケース１１の下面に対して平行（第１方向）に端子接続部１２を移動させるための構造であり、ガイドケース１１の第１案内リブ２０と、端子接続部１２の第１案内溝１９とから構成されている。リレー２８を挿入する際には、端子接続部１２の第１案内溝１９を、ガイドケース１１の第１案内溝１９に挿入する。第１案内構造１７により端子接続部１２を移動させつつ、端子接続部１２をガイドケース１１に挿入することで、ガイドケース１１の内部の所定箇所に端子接続部１２を配置することができる。ここで、第１案内構造１７では、ガイドケース１１に第１案内リブ２０を形成し、端子接続部１２に第１案内溝１９を形成したが、これを逆の構成にすることもでき、ガイドケース１１に第１案内溝１９を形成し、端子接続部１２に第１案内リブ２０を形成しても良い。
【００４７】
また、リレーソケット１０には、リレーケース１４の移動を案内する第２案内構造１８が形成されている。第２案内構造１８は、ガイドケース１１の下面に対して傾斜（第２方向）してリレーケース１４を移動させるための構造であり、ガイドケース１１の第２案内溝２１と、リレーケース１４の第２案内リブ２２とから構成されている。リレー２８を挿入する際には、リレーケース１４の第２案内リブ２２を、ガイドケース１１の第２案内溝２１に挿入する。リレーケース１４を、第２案内構造１８で案内しつつ、ガイドケース１１に挿入することで、後述するように、リレー２８の挿入状況を、リレーケース１４の前後方向の位置で確認することができる。ここで、第２案内構造１８では、ガイドケース１１に第２案内溝２１を形成し、リレーケース１４に第２案内リブ２２を形成したが、この構成を逆にすることもでき、具体的には、ガイドケース１１に第２案内リブ２２を形成し、リレーケース１４に第２案内溝２１を形成しても良い。
【００４８】
ガイドケース１１の後方端部には、上下方向に沿って第３案内溝３０が形成されている。また、ガイドケース１１の下端から内側に向かって壁状に伸びる保持部３８が形成されている。ガイドケース１１の第３案内溝３０に、蓋部材２７の第３案内リブ３１を挿入することで、ガイドケース１１の後方開口は、蓋部材２７で塞がれる。また、蓋部材２７をガイドケース１１に組み込むと、蓋部材２７の下端は保持部３８に接触し、これにより蓋部材２７の上下方向の位置は保持される。
【００４９】
上記した構成のリレーソケット１０を介してリレー２８を挿入する際には、先ず、ガイドケース１１の第１案内リブ２０を、端子接続部１２の第１案内溝１９に挿入し、第１案内構造１７を介して端子接続部１２を水平移動できるようにする。また、リレーケース１４の第２案内リブ２２をガイドケース１１の第２案内溝２１に挿入し、リレーケース１４が傾斜移動できるようにする。この時、端子接続部１２はリレーケース１４に部分的に収納される。
【００５０】
次に、図１に示したリレー２８の端子２９を、リレーケース１４の第２端子孔１５および端子接続部１２の第１端子孔１３に挿入する。その状態にて、リレー２８で、リレーケース１４および端子接続部１２を下方に向かって押圧する。そうすると、端子接続部１２は前方に向かって水平移動し、リレーケース１４は前方下方に向かって傾斜移動する。リレーケース１４がガイドケース１１の前端に達すれば、リレー２８の端子２９は、基板側の接続部に充分に挿入接続されている。その後、蓋部材２７の第３案内リブ３１をガイドケース１１の第３案内溝３０に上方から挿入することで、ガイドケース１１の後端開口を蓋部材２７で塞ぐ。よって、作業者は、リレーケース１４がガイドケース１１の内部前端に達していることを視認することで、リレー２８が充分に挿入されていることを確認することができる。従って、リレー２８の接続確認工程を確実化且つ簡略化することができる。
【００５１】
図３に、リレーソケット１０にリレー２８を挿入した状態を示す。ここでは、上記したように、リレー２８を充分に下方に向かって押圧することで、ガイドケース１１の内部で、リレーケース１４は前端まで移動している。また、リレー２８の本体部の下面、リレーケース１４の上面、および前壁３７の上面は、略同一平面上に配置されている。このようにすることで、リレー２８を離脱させるために、ドライバなどの治具の先端を、前壁３７の上方を通過して、リレーケース１４の上面とリレー２８の下面との間に、容易に挿入することができる。また、この挿入が終了した後に、治具の先端でリレー２８を上方に向かって持ち上げると、リレーケース１４は上記した第２案内構造１８に案内されて上側後方に向かって移動する。また、リレーケース１４に内蔵されるここでは図示しない端子接続部１２は、上記した第１案内構造１７に案内され、後方に向かって水平移動する。この時、作業者は、リレーケース１４が後方に向かって移動していることを確認することで、リレー２８を側方から目視することなく、リレー２８が離脱状態であることを確認することができる。
【００５２】
上記のように、本実施形態では、リレー２８の挿入および離脱に伴い、リレーケース１４および端子接続部１２が移動するので、リレー２８の挿入作業、離脱作業を容易に行うことができ、リレー２８が破損することを防止することができる。
【００５３】
また、ガイドケース１１の内部に於けるリレーケース１４の前後方向の位置を目視することで、側壁２３の挿入状況を容易に確認することができる。具体的には、リレーケース１４の前端が前壁３７に接していれば、リレー２８は下方に充分に挿入された接続状態であることが分かり、リレー２８の接続確認工程を簡略化しつつ確実化することができる。
【００５４】
更に、リレー２８を離脱する際には、リレーケース１４の上面が、リレー２８の本体の下面に面積に接触した状態で、リレー２８は徐々に上方に移動するので、離脱工程にてリレー２８の端子２９が破損してしまうことを防止できる。更にまた、リレー２８の接続時に於いても、リレーケース１４の上面はリレー２８の本体下面に常に接しているので、接続状態に端子２９が折れ曲がってしまうことを防止できる。
【００５５】
更にまた、リレー２８はその種類によって上下方向の厚みが異なるが、本実施形態ではリレーケース１４がガイドケース１１の内部で前端に配置されていることを視認することで、リレー２８が挿入状態であることを確認できる。よって、リレー２８の挿入状況を作業者が側方から視認する必要が無く、確認工程に要する労力を低減できる。
【００５６】
ここで、リレーソケット１０は、挿入されたリレー２８がリレーソケット１０から離脱することを防止する係合構造を備えている。この係合構造を、図４以降の図を参照して説明する。
【００５７】
図４では、ガイドケース１１に形成した案内ピン２４と、リレーケース１４に形成した曲折部３３で係合構造が構成されている。図４（Ａ）はガイドケース１１およびリレーケース１４を示す側面図であり、図４（Ｂ）はリレーケース１４がガイドケース１１に組み込まれた状態を示す側面図である。
【００５８】
図４（Ａ）を参照して、ガイドケース１１の側壁２３の内面を内側に向かって突起させることで案内ピン２４を形成している。案内ピン２４は、両方の側壁２３の内面に形成される。また、案内ピン２４は、リレーケース１４をガイドケース１１の前端に組み込んだ際に、後述するリレーケース１４の曲折部３３が係合する位置に形成されている。
【００５９】
リレーケース１４には、第２案内溝３２の後端を上方に向かって曲折させることで曲折部３３が形成されている。曲折部３３は、リレーケース１４の両側面に形成される第２案内溝３２のそれぞれに形成される。
【００６０】
図４（Ｂ）を参照して、図示しないリレー２８を挿入することで、リレーケース１４をガイドケース１１の前端部に収納すると、第２案内溝３２の曲折部３３に、ガイドケース１１の案内ピン２４が係合する。よって、係る係合により、ガイドケース１１の内部でリレーケース１４が後方に移動してしまうことを防止できる。上記のように、リレーケース１４の前後方向の位置を固定することで、リレーケース１４が上下方向に移動してしまうことを防止できる。よって、ここでは図示しないリレー２８が不用意に上方に移動して離脱してしまうことを防止できる。リレーケース１４をガイドケース１１から離脱する際には、即ち、図示しないリレー２８を離脱する際には、リレーケース１４を若干上方に移動させることで、曲折部３３と案内ピン２４との係合を解き、第２案内溝３２に沿ってリレーケース１４を後方上方に向かって移動させる。
【００６１】
図５を参照して、ここでは、ガイドケース１１に形成した係合受部３５とリレーケース１４に形成した係合爪３４とから係合構造が形成されている。図５（Ａ）はガイドケース１１およびリレーケース１４を示す側面図であり、図５（Ｂ）はリレーケース１４がガイドケース１１に組み込まれた状態を示す側面図であり、図５（Ｃ）は係合部位を示す拡大側面図である。
【００６２】
図５（Ａ）を参照して、ここでは、リレーケース１４の前壁３７の上端に、後方側に突出する係合受部３５が形成されている。また、リレーケース１４の前方上端部を上方に向かって突出させることで係合爪３４が形成されている。
【００６３】
図５（Ｂ）および図５（Ｃ）を参照して、リレーケース１４をガイドケース１１に組み込むと、係合爪３４が係合受部３５に係合する。例えば、係合受部３５に形成した開口部に、係合爪３４が挿入係合する。係る係合により、リレーケース１４とガイドケース１１との相対的位置が固定され、リレー２８の不用意な離脱が防止される。また、リレー２８を離脱する際に、リレーケース１４を上方後方に移動させると、係合受部３５が上方側に向かって変形し、係合受部３５と係合爪３４との係合が解除される。係合爪３４と係合受部３５との係合は、リレーケース１４の不用意な離脱を防止しつつ、作業者による意図的な離脱を許容する程度であり、係る事項は以下の係合構造に関しても同様である。
【００６４】
図６に示すガイドケース１１の側面図を参照して、ガイドケース１１の側壁２３と前壁３７との間にスリット３９を形成している。よって、前壁３７は、その下端部分でガイドケース１１本体と連続し、前後方向に湾曲する可撓性を有する可撓部２６となる。上記した係合受部３５は、可撓部２６の上端に形成される。可撓部２６を有することで、可撓部２６の弾性力で係合構造の係合力を大きくすることができる。また、離脱時に於いては、可撓部２６を前方に向かって湾曲させることで、係合構造を容易に解くことができる。
【００６５】
図７を参照して、ここでは、ガイドケース１１に形成した係合凸部２５が係合構造を構成している。図７（Ａ）はガイドケース１１を示す側面図であり、図７（Ｂ）はリレーソケット１０を上方から見た上面図である。
【００６６】
図７（Ａ）を参照して、ガイドケース１１の側壁２３の内面には第２案内リブ２２が形成されており、第２案内リブ２２の中央部付近を内側に向かって突出させることで係合凸部２５が形成されている。係合凸部２５は、側壁２３の両側に形成される。ここでは図示しないが、リレーケース１４には、第２案内リブ２２に対応する第２案内溝２１が形成される。
【００６７】
図７（Ｂ）では、リレー２８が挿入されて取れ付けられた際に於けるリレーケース１４の位置を一点鎖線で示し、リレー２８が取り付けられていない際に於けるリレーケース１４の位置を２点鎖線で示している。
【００６８】
リレー２８が取り付けられた場合、リレーケース１４は、係合凸部２５の前方に配置される。換言すると、リレーケース１４の後端は係合凸部２５よりも前方に配置されている。よって、リレーケース１４が不用意に後進しようとしても、リレーケース１４の後端部が係合凸部２５に当接することで、リレーケース１４の後進が防止される。よって、リレー２８の不用意な離脱を防止できる。ここで、係合凸部２５は第２案内リブ２２の他の部分にも形成することができ、具体的には第２案内リブ２２の端部に係合凸部２５を形成することもできる。
【００６９】
図８を参照して、上記した係合凸部２５の他の形態を説明する。図８（Ａ）はガイドケース１１を示す側面図であり、図８（Ｂ）はリレーソケット１０を上方から見た上面図である。図８の各図の概要は図７と同様である。
【００７０】
図８（Ａ）を参照して、ここでは、ガイドケース１１の側壁２３の内壁に第２案内溝２１を形成しており、第２案内溝２１の中央部付近に係合凸部２５を形成している。係合凸部２５は、第２案内溝２１の内部に形成された凸部である。また、ここでは図示しないが、ガイドケース１１の側面に第２案内リブ２２が形成されている。
【００７１】
図８（Ｂ）を参照して、係合凸部２５は、リレー２８が挿入状態の際に於けるリレーケース１４の後端の後方側に配置されている。このようにすることで、リレーケース１４が後方に移動しようとすると、リレーケース１４のここでは図示しない第２案内リブ２２が、係合凸部２５に係合する。係る係合により、リレーケース１４の後方への移動が抑制され、ひいてはリレー２８の不用意な離脱が防止される。
【００７２】
図９に、リレーボックス４０の斜視図を示す、ここでは、マトリクス状に配置された６個のリレーソケット１０からリレーボックス４０が構成されており、個々のリレーソケット１０にリレー２８が挿入されている。また、リレーボックス４０の下方側からハーネス４１が導出しており、リレー２８はハーネス４１で接続される制御系統に介装されている。
【００７３】
ここで、各リレーソケット１０に挿入されているリレー２８の接続状況は、リレーソケット１０の左右方向に於ける位置を視認することで確認することができる。即ち、各リレーソケット１０に於いて、各リレー２８が左端または右端に配置されたら、各リレー２８が正常に挿入されていると判断することができる。よって、各リレー２８の上下方向の厚みが異なったとしても、上方からリレー２８の位置を確認するのみで接続状況を確認でき、側方からリレー２８の上下方向に於ける位置を確認する必要が無いので、リレーボックス４０の接続状況を確認する確認工程を簡略化することができる。
【００７４】
以上、本発明の実施形態を示したが、本発明は、上記実施形態に限定されるものではない。
【符号の説明】
【００７５】
１０   リレーソケット
１１   ガイドケース
１２   端子接続部
１３   第１端子孔
１４   リレーケース
１５   第２端子孔
１６   内部空間
１７   第１案内構造
１８   第２案内構造
１９   第１案内溝
２０   第１案内リブ
２１   第２案内溝
２２   第２案内リブ
２３   側壁
２４   案内ピン
２５   係合凸部
２６   可撓部
２７   蓋部材
２８   リレー
２９   端子
３０   第３案内溝
３１   第３案内リブ
３２   第２案内溝
３３   曲折部
３４   係合爪
３５   係合受部
３６   傾斜面
３７   前壁
３８   保持部
３９   スリット
４０   リレーボックス
４１   ハーネス
【図１】
2019175683.tif 000003
【図２】
2019175683.tif 000004
【図３】
2019175683.tif 000005
【図４】
2019175683.tif 000006
【図５】
2019175683.tif 000007
【図６】
2019175683.tif 000008
【図７】
2019175683.tif 000009
【図８】
2019175683.tif 000010
【図９】
2019175683.tif 000011